(57)【要約】【課題】建築物等に設置された際に、その建築物の構成が見えなくなることを防止できる。【解決手段】カードを読み取るカード読取システムであって、壁に取り付けられ、透過率を変化させることができるとともに前記透過率が一定の透過率より低い場合に光を反射できる反射部と、前記反射部に対して、前記壁とは反対側である正面側に配される板状部材であって、磁界を発生させるコイルが組み込まれた透明の板状部材を有し、前記板状部材における前記正面側を向いた面において前記カードに記録された情報を読み取ることができるカード読取部と、前記反射部と前記板状部材との間に配され、印加される電圧に応じて透過率が変化するとともに前記カード読取部が読み取った情報に基づいて画像を表示することができる液晶画素を有する第１の液晶部と、を備える、カード読取システム。【選択図】図１
2017041060.tif 000002
【特許請求の範囲】
【請求項１】
カードを読み取るカード読取システムであって、
壁に取り付けられ、透過率を変化させることができるとともに前記透過率が一定の透過率より低い場合に光を反射できる反射部と、
前記反射部に対して、前記壁とは反対側である正面側に配される板状部材であって、磁界を発生させるコイルが組み込まれた透明の板状部材を有し、前記板状部材における前記正面側を向いた面において前記カードに記録された情報を読み取ることができるカード読取部と、
前記反射部と前記板状部材との間に配され、印加される電圧に応じて透過率が変化するとともに前記カード読取部が読み取った情報に基づいて画像を表示することができる液晶画素を有する第１の液晶部と、を備える、カード読取システム。
【請求項２】
請求項１に記載のカード読取システムであって、さらに、
光を射出できる照明部と、
前記反射部と前記第１の液晶部との間に配され、前記照明部から射出された光を面状の光として、前記第１の液晶部に出力できる面状出力部を備える、カード読取システム。
【請求項３】
請求項１または請求項２に記載のカード読取システムであって、
前記カード読取部は、前記板状部材における前記正面側にタッチパネルを有する、カード読取システム。
【請求項４】
請求項１から請求項３までのいずれか一項に記載のカード読取システムであって、
前記反射部は、印加される電圧に応じて透過率を変化させることができる第２の液晶部である、カード読取システム。
【発明の詳細な説明】
【技術分野】
【０００１】
本発明は、カード読取システムに関する。
【背景技術】
【０００２】
カード読取システムは、改礼機、セキュリティシステム、電子マネーシステム等の分野において利用されている。カード読取システムには、カードが記録している情報を読み取るカード読取部と、カードの認証結果およびカード読取システムの操作方法等を示す画像をユーザーに対して表示する画像表示部を備えたものがある。このようなカード読取システムのカード読取部には、磁界を発生させるコイルを含み、その磁界にカードを通過させることによってカードが記録している情報を読み取るものがある。
【先行技術文献】
【特許文献】
【０００３】
【特許文献１】特開２００６−１８５２６号公報
【発明の概要】
【発明が解決しようとする課題】
【０００４】
特許文献１には、コイルを含むカード読取部と、画像表示部とを備えたカード読取システムが記載されている。特許文献１のようなカード読取システムには、カード読取部の近傍に画像表示部を備えることによって、ユーザーの利便性を図ったものがある。しかし、そのようなカード読取システムでは、建築物等に設置された際に、その建築物（例えば、美術館、デザイナーズハウス等）の構成が見えなくなる場合があるという課題があった。そのため、建築物の構成が見えなくなることを防止できる技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、カードを読み取るカード読取システムが提供される。このカード読取システムは、壁に取り付けられ、透過率を変化させることができるとともに前記透過率が一定の透過率より低い場合に光を反射できる反射部と、前記反射部に対して、前記壁とは反対側である正面側に配される板状部材であって、磁界を発生させるコイルが組み込まれた透明の板状部材を有し、前記板状部材における前記正面側を向いた面において前記カードに記録された情報を読み取ることができるカード読取部と、前記反射部と前記板状部材との間に配され、印加される電圧に応じて透過率が変化するとともに前記カード読取部が読み取った情報に基づいて画像を表示することができる液晶画素を有する第１の液晶部と、を備える。このような態様とすれば、第１の液晶部に画像が表示されていないときは、第１の液晶部および反射部における透過率を上げることによって、建築物の構成が見えなくなることを防止できる。
【０００７】
（２）本発明の一形態によれば、光を射出できる照明部と、前記反射部と前記第１の液晶部との間に配され、前記照明部から射出された光を面状の光として、前記第１の液晶部に出力できる面状出力部を備えてもよい。このような態様とすれば、第１の液晶部に対して、壁の側から均一な面状の光を供給できる。
【０００８】
（３）本発明の一形態によれば、前記カード読取部は、前記板状部材における前記正面側にタッチパネルを有してもよい。このような態様とすれば、ユーザーは、表示された画像の指示に応じて、タッチパネルを介した指示の入力ができる。
【０００９】
（４）本発明の一形態によれば、前記反射部は、印加される電圧に応じて透過率を変化させることができる第２の液晶部であってもよい。このような態様とすれば、第１の液晶部に画像が表示されていないときは、第１の液晶部および第２の液晶部にそれぞれ印加される電圧を透過率を上げる方へ調整することによって、建築物の構成が見えなくなることを防止できる。
【００１０】
本発明の形態は、カード読取システムの形態に限るものではなく、例えば、カード読取システムを制御する制御装置の他、カード読取システムを備えるシステムなどの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１１】
【図１】本実施形態におけるカード読取システムについて示した説明図である。
【図２】第２の液晶部が画像を表示している状態について示した説明図である。
【図３】第２実施形態におけるカード読取システムについて示した説明図である。
【発明を実施するための形態】
【００１２】
Ａ．第１実施形態：
図１は、本実施形態におけるカード読取システム１０について示した説明図である。カード読取システム１０は、カードに記録された情報を読み取るシステムである。
【００１３】
本実施形態では、カード読取システム１０は、個人を特定するためのＩＤ（IDentification）情報が記録されたＩＤカードを読み取ることによって、予め登録された個人にのみカード読取システム１０が設置された出入り口の開錠を制御する。他の実施形態では、カード読取システム１０は、労働時間を記録するタイムレコーダに備えられてもよい。そのような態様においては、カード読取システム１０は、社員証を読み取ることによって、タイムレコーダに、社員証で特定された個人の労働時間の開始および終了を記録させる。
【００１４】
本実施形態では、カード読取システム１０は、美術館に設置されることによって、館員用の出入り口の開錠を制御する。他の実施形態では、カード読取システム１０は、事業所および倉庫などに設置されていてもよい。本実施形態では、カード読取システム１０は、美術館に設けられた壁部２００と、壁部２００から突出した突出部２１０に設置される態様である。他の実施形態では、カード読取システム１０は、壁部と床面に設置される態様であってもよいし、壁部と天井に設置される態様であってもよい。
【００１５】
壁部２００は、カード読取システム１０が設置された美術館の館内の壁である。
【００１６】
カード読取システム１０は、第２の液晶部１００と、カード読取部１１０と、第１の液晶部１２０と、照明部１３０と、突出部２１０とを備える。
【００１７】
突出部２１０は、壁部２００より水平方向に突出しているとともに、重力方向上側を向いた水平な面２１５を有する。
【００１８】
第２の液晶部１００は、壁部２００に取り付けられている。本実施形態では、第２の液晶部１００は、突出部２１０を介して壁部２００に取り付けられている。他の実施形態では、第２の液晶部１００は、壁部２００に直接取り付けられていてもよい。本実施形態では、第２の液晶部１００と壁部２００との間には、何も配されていない。他の実施形態では、第２の液晶部１００と壁部２００との間に、カード読取システム１０を構成する別の部材が存在していてもよい。
【００１９】
第２の液晶部１００は、印加される電圧に応じて光の透過率を変化させる。第２の液晶部１００は、その透過率が一定の透過率より低い場合に照明部１３０から射出される光を反射可能に構成される。本実施形態では、第２の液晶部１００は、印加される電圧が上昇することに伴って、光の透過率は低下する。本実施形態では、第２の液晶部１００は、電圧が印加されていない状態において、壁部２００側とは反対側である正面側から壁部２００への視野を確保可能な透過率をとり得る。
【００２０】
他の実施形態では、第２の液晶部１００は、印加される電圧が上昇することに伴って、光の透過率は上昇してもよい。他の実施形態では、第２の液晶部１００は、電圧が印加された状態において、正面側から壁部２００への視野を確保可能な透過率をとり得てもよい。
【００２１】
カード読取部１１０は、第２の液晶部１００に対して、正面側に配されている。カード読取部１１０は、ＩＤカードに記録された情報を読み取ることができる。
【００２２】
カード読取部１１０は、略矩形状であるとともに透明の板状部材と、透明のタッチパネルとを備える。透明のタッチパネルは、正面側から板状部材に重なっている。本実施形態では、板状部材は、主としてガラスから構成される。他の実施形態では、板状部材は、主として、アクリル樹脂、ポリカーボネイト樹脂、ポリアリレート樹脂およびメタクリル樹脂のうちのいずれかから構成される樹脂板であってもよい。
【００２３】
本実施形態では、カード読取部１１０は、正面側において、ＩＤカードに記録された情報を読み取る。カード読取部１１０は、板状部材内に透明なコイル１１５を備える。
【００２４】
コイル１１５は、磁界を発生させる。本実施形態では、カード読取部１１０は、コイル１１５が発生させた磁界にＩＤカードを通過させることでＩＤカード内に発生する電流を利用することによって、ＩＤカードから情報を読み取る。本実施形態では、コイル１１５は、カード読取部１１０の中央側を略矩形状に取り囲むように配されている。
【００２５】
第１の液晶部１２０は、第２の液晶部１００とカード読取部１１０との間に配されている。第１の液晶部１２０は、印加される電圧に応じて光の透過率を変化させるとともに、カード読取部１１０が読み取った情報に基づいて画像を表示することができる液晶画素を有する。第１の液晶部１２０は、カード読取部１１０が読み取った情報に応じてカード読取システム１０の制御部（図示しない）から送信される信号に基づいて、画像を表示する。
【００２６】
本実施形態では、第１の液晶部１２０は、印加される電圧が上昇することに伴って、光の透過率は低下する。本実施形態では、第１の液晶部１２０は、電圧が印加されていない状態において、正面側から壁部２００への視野を確保可能な透過率をとり得る。
【００２７】
他の実施形態では、第１の液晶部１２０は、印加される電圧が上昇することに伴って、光の透過率は上昇してもよい。他の実施形態では、第１の液晶部１２０は、電圧が印加された状態において、正面側から壁部２００への視野を確保可能な透過率をとり得てもよい。
【００２８】
本実施形態では、第２の液晶部１００は、カード読取部１１０によってカードに記録された情報が読み取られた場合、電圧が印加されることによって、一定の透過率より低い状態になる。本実施形態では、第１の液晶部１２０は、カード読取部１１０によってＩＤカードに記録された情報が読み取られた場合、カード読取システム１０の制御部から送信される信号に基づいて、画像を表示する。このとき、第１の液晶部１２０は、電圧が印加されていない状態の透過率より低い透過率となる。
【００２９】
本実施形態では、第２の液晶部１００および第１の液晶部１２０は、カード読取部１１０によってＩＤカードに記録された情報が読み取られていない場合、電圧が印加されない。本実施形態では、第１の液晶部１２０は、カード読取部１１０によってＩＤカードに記録された情報が読み取られていない場合、画像を表示しない。
【００３０】
図１における第２の液晶部１００および第１の液晶部１２０は、カード読取部１１０によってＩＤカードに記録された情報が読み取られていない状態であるため、ともに電圧が印加されておらず、正面側から壁部２００への視野を確保可能な透過率の状態にある。また、カード読取部１１０も透明の部材である。このため、第１の液晶部１２０に画像を表示されていないときは、第２の液晶部１００および第１の液晶部１２０における光の透過率を上げることによって、建築物の構成が見えなくなることを防止できる。
【００３１】
照明部１３０は、光を射出できる。照明部１３０は、突出部２１０における重力方向上側を向いた水平な面２１５上に、光を射出可能に配されている。本実施携帯における水平な面２１５上とは、照明部１３０が突出部２１０に埋め込まれている状態であるが、他の実施形態では、水平な面２１５上とは、照明部１３０が水平な面２１５の重力方向上側に取り付けられている状態であってもよい。
【００３２】
本実施形態では、照明部１３０から射出された光は、一定の透過率より低い状態となっている第２の液晶部１００に反射されることによって、壁部２００の側から第１の液晶部１２０を照らす。本実施形態では、照明部１３０は、冷陰極管である。他の実施形態では、照明部１３０は、ＬＥＤであってもよい。本実施形態では、照明部１３０は、カード読取部１１０によってＩＤカードに記録された情報が読み取られた場合、光を射出する。本実施形態では、照明部１３０は、カード読取部１１０によってＩＤカードに記録された情報が読み取られていない場合、光を射出しない。
【００３３】
本実施形態では、カード読取部１１０が読み取った情報が予め登録された個人を示すものであった場合、照明部１３０は、一定の透過率より低い状態となった第２の液晶部１００に光を反射させることによって、壁部２００の側から第１の液晶部１２０を照らすとともに、第１の液晶部１２０は、ＩＤカードが認証できたことと館員用の出入り口を開錠するか否かを選択するボタン部とを示した認証成功画像を表示する。
【００３４】
本実施形態では、カード読取部１１０が読み取った情報が予め登録された個人を示すものでなかった場合、照明部１３０は、一定の透過率より低い状態となった第２の液晶部１００に光を反射させることによって、壁部２００の側から第１の液晶部１２０を照らすとともに、第１の液晶部１２０は、ＩＤカードが認証できなかったことと館員用の出入り口を開錠しないことを示した認証失敗画像を表示する。
【００３５】
第１の液晶部１２０が認証成功画像を表示している場合、カード読取システム１０は、カード読取部１１０側から見て、認証成功画像に表示されているボタン部に対応するタッチパネルの領域への入力を受け付けることによって、館員用の出入り口を開錠する。その後、第２の液晶部１００、第１の液晶部１２０および照明部１３０は、制御部からの指示に基づいて、カード読取部１１０によってＩＤカードに記録された情報が読み取られていない状態に戻る。
【００３６】
第１の液晶部１２０が認証成功画像を表示してから一定時間、タッチパネルへの入力がなかった場合、第２の液晶部１００、第１の液晶部１２０および照明部１３０は、制御部からの指示に基づいて、カード読取部１１０によってＩＤカードに記録された情報が読み取られていない状態に戻る。
【００３７】
このため、ユーザーは、カード読取部１１０に表示された画像の指示に応じて、タッチパネルを介した指示の入力ができる。
【００３８】
第１の液晶部１２０が認証失敗画像を一定時間表示したのち、第２の液晶部１００、第１の液晶部１２０および照明部１３０は、制御部からの指示に基づいて、カード読取部１１０によってＩＤカードに記録された情報が読み取られていない状態に戻る。
【００３９】
本実施形態では、第１の液晶部１２０に表示される画像の高さは、床面から１１０ｃｍ〜１６０ｃｍの範囲である。他の実施携帯では、第１の液晶部１２０に表示される画像の高さは、床面から１１０ｃｍ未満であってもよいし、１６０ｃｍより高くてもよい。
【００４０】
図２は、カード読取部１１０によってＩＤカードに記録された情報が読み取られた場合に、第１の液晶部１２０が画像を表示している状態について示した説明図である。
【００４１】
図２における第２の液晶部１００に付されたハッチングは、電圧が印加されることによって、一定の透過率より低い状態になっていることを示している。図２における第１の液晶部１２０に付されたハッチングは、カード読取システム１０の制御部から送信された信号に基づいて、画像を表示している状態であることを示している。
【００４２】
第１の液晶部１２０は、カード読取部１１０によって読み取られたＩＤカードに記録された情報が、予め登録された個人を示すものであった場合、認証成功画像を表示する。また、第１の液晶部１２０は、カード読取部１１０によって読み取られたＩＤカードに記録された情報が、予め登録された個人を示すものでなかった場合、認証失敗画像を表示する。ユーザーは、第１の液晶部１２０に表示された画像を、透明であるカード読取部１１０を介して見ることができる。
【００４３】
本実施形態は、画像表示手段として、透明であるカード読取部１１０と、印加される電圧に応じて透過率が変化する第２の液晶部１００と、印加される電圧に応じて透過率が変化する第１の液晶部１２０とによって構成される。このため、カード読取部１１０がＩＤカードを読み取った場合には第１の液晶部１２０に画像を表示するとともに、カード読取部１１０がＩＤカードを読み取っていない場合には建築物の構成が見えるようにして、カード読取システム１０は、その設置された建築物の構成が見えなくなることを防止できる。
【００４４】
以上説明した実施形態によれば、第１の液晶部１２０に画像が表示されていないときは、第２の液晶部１００および第１の液晶部１２０における光の透過率を上げることによって、建築物の構成が見えなくなることを防止できる。
【００４５】
また、ユーザーは、第１の液晶部１２０に表示された画像の指示に応じて、タッチパネルを介した指示の入力ができる。
【００４６】
Ｂ．第２実施形態：
図３は、第２実施形態におけるカード読取システム１０ａについて示した説明図である。第２実施形態におけるカード読取システム１０ａは、面状出力部１３５を備える点を除き、第１実施形態におけるカード読取システム１０と同様である。
【００４７】
面状出力部１３５は、第２の液晶部１００と第１の液晶部１２０との間に配される。面状出力部１３５は、照明部１３０から射出された光を面状の光として、壁部２００の側から第１の液晶部１２０に出力できる透明の板状部材である。面状出力部１３５は、主としてアクリルから構成される。他の実施形態では、面状出力部１３５は、主としてガラスから構成されてもよい。このため、第１の液晶部１２０に対して、壁部２００の側から均一な面状の光を供給できる。
【００４８】
Ｃ．変形例：
上記実施形態のカード読取システム１０では、照明部１３０は、突出部２１０における重力方向上側を向いた水平な面２１５上に、光を射出可能に配されているとしていたが、本発明はこれに限られない。例えば、照明部１３０は、カード読取システム１０が設置された建築物の天井において、壁部２００の側から第１の液晶部１２０に光を射出可能に配されてもよい。
【００４９】
また、上記実施形態のカード読取システム１０ａでは、面状出力部１３５を備えていたが、本発明はこれに限られない。例えば、面状出力部１３５に加え、さらに、第１の液晶部１２０と面状出力部１３５との間に、面状出力部１３５から出力される光を拡散できる光拡散フィルムを備えていてもよい。
【００５０】
また、上記実施形態のカード読取システム１０では、突出部２１０は、壁部２００から水平方向に突出しているとしていたが、本発明はこれに限られない。例えば、突出部２１０は、壁部２００から水平方向より鉛直方向における上側を向いて突出していてもよいし、壁部２００より水平方向より鉛直方向における下側を向いて突出していてもよい。また、突出部２１０は、重力方向上側を向いた水平な面２１５を有するとしていたが、本発明はこれに限られない。例えば、突出部２１０は、鉛直方向における上端が鉛直方向における下端より壁部２００の側に近い面を有してもよいし、鉛直方向における上端が鉛直方向における下端より壁部２００の側から遠い面を有してもよい。
【００５１】
また、上記実施形態のカード読取システム１０では、カード読取システム１０の制御部から送信される信号に基づいて、第１の液晶部１２０は、画像を表示していたが、本発明はこれに限られない。例えば、カード読取システム１０の制御部から送信される信号に基づいて、第１の液晶部１２０は、画像を表示することに加え、第２の液晶部１００および第１の液晶部１２０は、電圧が印加されてもよいし、照明部１３０は、光を射出してもよい。
【００５２】
また、上記実施形態のカード読取システム１０では、第１の液晶部１２０は、カード読取部１１０が読み取った情報に基づいて画像を表示することができるが、本発明はこれに限られない。例えば、第１の液晶部１２０は、カード読取部１１０がカードから情報を読み取ったことに基づいて画像を表示してもよい。
【００５３】
また、上記実施形態のカード読取システム１０では、反射部として第２の液晶部を採用していたが、本発明はこれに限られない。例えば、反射部として、透過率を調整できるブラインドを採用してもよい。
【００５４】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００５５】
１０…カード読取システム
１０ａ…カード読取システム
１００…第２の液晶部
１１０…カード読取部
１１５…コイル
１２０…第１の液晶部
１３０…照明部
１３５…面状出力部
２００…壁部
２１０…突出部
２１５…面
【図１】
2017041060.tif 000003
【図２】
2017041060.tif 000004
【図３】
2017041060.tif 000005